(57)【要約】    【課題】多層紙袋のうち、フィルムチューブ体のみを簡単に分離することが出来る多層紙袋を提供する。      【解決手段】フィルムチューブ体２１を除き、口部２２付近の多層の紙製チューブ体（２，３）間のみを接着剤の接着層６を介し、互いに固着するようにした。    【選択図】  図１
2006131280.tif 000002
【特許請求の範囲】
【請求項１】
多層の紙製チューブ体の中間層にフィルムチューブ体を有する多層紙袋において、
前記フィルムチューブ体を除き、口部付近の前記多層の紙袋チューブ体間のみを接着剤の接着層を介し、互いに固着するようにしたことを特徴とする多層紙袋。
【請求項２】
前記口部側に位置する前記フィルムチューブ体の先端部は直線状に形成され、かつ前記フィルムチューブ体の先端部は前記接着剤の接着層から離間した位置に配置されることを特徴とする請求項１に記載の多層紙袋。
【請求項３】
前記接着剤の接着層は所定のピッチで間欠的に形成され、前記口部側に位置する前記フィルムチューブ体の先端部には、前記接着層から離間し、かつ該接着層を囲繞する切り欠が形成されていることを特徴とする請求項２に記載の多層紙袋。
【請求項４】
前記接着層は平面円形であり、前記切り欠は前記円形の接着層を囲繞する略円弧形状の切り欠であることを特徴とする請求項３に記載の多層紙袋。
【発明の詳細な説明】
【技術分野】
【０００１】
この発明は、中間層に合成樹脂のフィルムからなるチューブ体を備えた多層紙袋の改良に関し、特にフィルムチューブ体とこれを覆う紙製チューブ体との分離を簡単に行なえるようにした多層紙袋に関する。
【背景技術】
【０００２】
従来からポリエチレン等の合成樹脂からなるフィルムチューブ体を多層の紙製チューブ体間に入れた紙袋、いわゆる多層紙袋は、気密性、防湿性、クリーン性等の点で適しているため大量に使用されている。
【０００３】
図６は上述した従来の多層紙袋１（以下単に紙袋と言う）の概念断面図、図７はその右側面図である。
【０００４】
この紙袋１は、三層のチューブ体からなり、その最内層のチューブ体２と最外層のチューブ体３はクラフト紙等の紙材で構成され、その中間層のチューブ体４のみがポリエチレンフィルム等の合成樹脂で形成されている。
【０００５】
そして、紙袋１の口部５側では、最内層のチューブ体２と中間層のフィルムチューブ体４との間が接着剤の接着層６を介して固着され、また中間層のフィルムチューブ体４と最外層のチューブ体３との間も同様に接着剤の接着層６で固着されている。即ち、合成樹脂で形成された中間層のフィルムチューブ体４は最内層のチューブ体２と最外層のチューブ体３とにそれぞれ接着層６を介して固着し、互いに分離不可能な構造となっている。
【０００６】
なお、この紙袋１の底部７は、最内層のチューブ体２、中間層のフィルムチューブ体４、および最外層のチューブ体３のいずれもが互いに接着されることなく、一方向へ折り曲げられ、その後、カットテープ付き底当て紙８により接着剤の接着層６を介して封緘されている。
【０００７】
このような紙袋１では、開放された口部５内に図８で示すように、砂糖、各種粉類、穀物あるいはプロティン等の食品類、若しくは樹脂ペレット等の工業素材類（以下単に内容物９と言う）を収容した後、口部５を折り曲げ、底部７と同様にカットテープ等の口当て紙１０により封緘し、輸送や保管に使用するようにしている。
【発明の開示】
【発明が解決しようとする課題】
【０００８】
ところで、近年では上述した紙袋１の使用後、合成樹脂で形成された中間層のフィルムチューブ体４を最内層のチューブ体２と最外層のチューブ体３から分離し、これにより紙材である最内層のチューブ体２と最外層のチューブ体３とをリサイクル使用して再利用する考えがある。
【０００９】
ところが、従来の紙袋１は、中間層のフィルムチューブ体４が接着剤の接着層６を介して最内層のチューブ体２と最外層のチューブ体３とにそれぞれ固着しているから、図９で示すように、使用後の紙袋１の底部７を開封し、そこから矢印Ｘで示すようにフィルムチューブ体４のみを引張して取り出そうとしても取り出すことはできず、この結果、使用後の従来の紙袋１は合成樹脂のフィルムチューブ体４が付着したままであるから産業廃棄物として処分しなければならない重大な問題点があった。
【００１０】
この発明は、上述した事情に鑑み、多層紙袋のうち、フィルムチューブ体のみを簡単に分離することが出来る多層紙袋を提供する。
【課題を解決するための手段】
【００１１】
上述した課題を解決するため、この発明では、中間層にフィルムチューブ体を有する多層の紙製チューブ体からなる多層紙袋において、前記フィルムチューブ体を除き、口部付近の前記多層の紙袋チューブ体間のみを接着剤の接着層を介し、互いに固着するようにしている。
【発明の効果】
【００１２】
上述した本願発明に係る多層紙袋によると、フィルムチューブ体は多層の紙製チューブ体のいずれにも接着固定されていないため、底部を開封して多層の紙製チューブ体間からフィルムチューブ体を引き出せば、当該フィルムチューブ体のみが簡単に引き出されて取り除くことが出来、このためフィルムチューブ体と多層の紙製チューブ体とを簡単な操作で分離し、これにより多層の紙製チューブ体のみをリサイクル使用して再利用することが出来るだけでなく、取り除いたフィルムチューブ体をリサイクルして再利用することもできる。  
【発明を実施するための最良の形態】
【００１３】
以下、この発明に係る多層紙袋の一実施例を詳述する。
【００１４】
図１はこの発明に係る多層紙袋２０（以下単に紙袋と言う）の概念断面図、図２はその右側面図である。なお、図９乃至図１１と同一部分は同一符号で示す。
【００１５】
この紙袋２０も三層の袋体からなり、その最内層のチューブ体２と最外層のチューブ体３はクラフト紙等の紙材で構成され、その中間層のチューブ体２１がポリエチレンフィルム等の合成樹脂で形成されている。
【００１６】
そして、紙袋２０の口部２２側では、最内層のチューブ体２と最外層のチューブ体３との間のみが接着剤の接着層６で固着されている。なお、この接着層６は図２で示すように所定のピッチで間欠的に、かつ円形に形成されている。
【００１７】
一方、中間層のフィルムチューブ体２１は、図２で示すように、紙袋２０の口部２２側に位置する先端部２１ａが直線状に形成され、かつその先端部２１ａは、図１に示すように接着層６から離間した位置（ずれた位置）に配設されている。
【００１８】
即ち、合成樹脂で形成された中間層のフィルムチューブ体２１は最内層のチューブ体２と最外層のチューブ体３のいずれにも固着されていない構造となっている。
【００１９】
なお、この紙袋２０の底部２３も、最内層のチューブ体３、中間層のフィルムチューブ体２１、および最外層のチューブ体３のいずれも互いに接着されることなく、一方向へ折り曲げられ、その後、カットテープ等の底当て紙８により封緘されている。
【００２０】
このような紙袋２０では、開放された口部２２内に図３で示すように、砂糖、各種粉類、穀物あるいはプロティン等の食品類、若しくは樹脂ペレット等の工業素材類（以下単に内容物９と言う）を収容した後、口部２２を折り曲げ、底部２３と同様にカットテープ等の口当て紙１０により封緘し、輸送や保管に使用する。
【００２１】
一方、紙袋２０の使用後、即ち口部２２を開封して内容物９を取り除いた後、紙袋２０の底部２３を開封すると、図４で示すように、中間層のフィルムチューブ体２１は最内層のチューブ体２と最外層のチューブ体３とにそれぞれ固着されていないから、そこから矢印Ｙで示すようにフィルムチューブ体２１の下端２１ｂのみを引張すれば、当該フィルムチューブ体２１は底部２３から簡単に引き出して取り出すことができ、これによりフィルムチューブ体２１を紙袋２０から分離し、紙材からなる最内層のチューブ体２と最外層のチューブ体３のみを取り出し、リサイクルして再利用することが出来る。なお、取り除いた合成樹脂のフィルムチューブ体２１もリサイクルして再利用することができることもいうまでもない。
【００２２】
なお、上記実施例では、図２に示すように中間層のフィルムチューブ体２１は紙袋２０の口部２２側に位置する先端部２１ａを直線状に形成し、かつその先端部２１ａの配置位置を接着層６から離間した位置（ずらした位置）に配置するようにしたが、この発明は上記実施例に限定されることなく、図２と同一部分を同一符号で示す図５のように、最内層のチューブ体２と最外層のチューブ体３との間のみを固着する平面円形の接着層６から離間すべく、フィルムチューブ体２１の先端部２１ａに平面円形の接着層６を囲繞する円弧形状の切り欠２１ｃを形成し、その先端部２１ａをより一層紙袋２０の口部２２側に接近させ、フィルムチューブ体２１により紙袋２０を覆う領域をより一層大きく確保するようにしても良い。  
なお、上記実施例では、三層の多層紙袋２０について詳述したが、この発明は上記実施例に限定されることなく、三層以上の多層紙袋に適用しても良く、その場合もフィルムチューブ体を除き、口部付近の多層の紙製チューブ体間のみを接着剤の接着層を介し、互いに固着するようにする。
【００２３】
また。図２の実施例では、接着層６を所定のピッチで間欠的に、かつ円形に形成するようにしたが、この発明は上記実施例に限定されることなく、図７の従来例と同様に、接着層６を間欠的ではなく直線状に形成するようにしても良い。
【産業上の利用可能性】
【００２４】
以上説明したように、この発明は、簡単な操作で紙製チューブ体と合成樹脂のフィルムチューブ体とを分離し、これにより紙材を再利用することができるようにした多層紙袋に適している。
【図面の簡単な説明】
【００２５】
【図１】図１はこの発明に係る多層紙袋の概念断面図。
【図２】図２は図１の右側面図。
【図３】図３は内容物を収納した状態を示す概念断面図。
【図４】図４はフィルムチューブ体の分離操作を示す断面図。
【図５】図５は他の実施例を示す多層紙袋の正面図。
【図６】図６は従来の多層紙袋の概念断面図。
【図７】図７は図６の右側面図。
【図８】図８は内容物を収納した状態を示す断面図。
【図９】図９はフィルムチューブ体の分離操作を示す断面図。
【符号の説明】
【００２６】
６…接着層
２，３…紙製チューブ体
２１…フィルムチューブ体
２０…多層紙袋
２１ａ…先端部
２１ｃ…切り欠
２２…口部
【図１】
2006131280.tif 000003
【図２】
2006131280.tif 000004
【図３】
2006131280.tif 000005
【図４】
2006131280.tif 000006
【図５】
2006131280.tif 000007
【図６】
2006131280.tif 000008
【図７】
2006131280.tif 000009
【図８】
2006131280.tif 000010
【図９】
2006131280.tif 000011